(57)【要約】【課題】オリフィスの耐蝕性を担保する。【解決手段】デリバリパイプ１０は、複数のインジェクタ４０へ燃料を供給するための共通供給路３０、複数のインジェクタ４０が取り付けられる取付部４１、及び共通供給路３０の内周壁面の一部に開口するとともに燃料供給源から共通供給路３０へ燃料を供給するための燃料供給口３１を有する主管体２０と、主管体２０の共通供給路３０内にて燃料供給口３１を塞ぐ形で配されるとともに、燃料供給口３１及び共通供給路３０に連通されるオリフィス６２が形成されてなる耐蝕性部材６０とを備える。【選択図】図４
2014047671.tif 000002
【特許請求の範囲】
【請求項１】
複数のインジェクタへ燃料を供給するための共通供給路、複数の前記インジェクタが取り付けられる取付部、及び前記共通供給路の内周壁面の一部に開口するとともに燃料供給源から前記共通供給路へ燃料を供給するための燃料供給口を有する主管体と、
前記主管体の前記共通供給路内にて前記燃料供給口を塞ぐ形で配されるとともに、前記燃料供給口及び前記共通供給路に連通されるオリフィスが形成されてなる耐蝕性部材とを備えるデリバリパイプ。
【請求項２】
前記主管体には、その軸線に沿って前記共通供給路を外部へ開口させるとともに、外部から前記耐蝕性部材が装着可能とされる装着開口部が設けられている請求項１記載のデリバリパイプ。
【請求項３】
前記耐蝕性部材は、内部に前記共通供給路に並行するとともに前記共通供給路に連通される連通路を有する筒状をなしており、
前記オリフィスは、前記耐蝕性部材の一部に前記連通路に連通する形で設けられている請求項２記載のデリバリパイプ。
【請求項４】
前記装着開口部は、前記共通供給路よりも大径となるよう形成されている請求項２または請求項３記載のデリバリパイプ。
【請求項５】
前記主管体の周壁には、内部に前記燃料供給口に連通する燃料供給路を有するとともにその軸線が前記主管体の軸線と直交する形態の燃料供給管が設けられている請求項１から請求項４のいずれか１項に記載のデリバリパイプ。
【請求項６】
前記主管体は鉄製またはアルミニウム合金製であり、前記耐蝕性部材はステンレス製である請求項１から請求項５のいずれか１項に記載のデリバリパイプ。
【発明の詳細な説明】
【技術分野】
【０００１】
本発明は、デリバリパイプに関する。
【背景技術】
【０００２】
従来から、内燃機関等において、燃料供給源から供給される燃料を、各気筒それぞれに設けられた複数のインジェクタに分配するフューエルデリバリパイプ（以下「デリバリパイプ」と言う）が用いられている（例えば、特許文献１）。デリバリパイプは、燃料を各インジェクタに供給する主経路と、その主経路に連通して上記複数のインジェクタが取付けられるインジェクタ取付部と、主経路とインジェクタ取付部とを連通し、オリフィス状に形成された連通孔とを有する。そして、燃料供給源から主経路に供給された燃料が、連通孔を通り、インジェクタ取付部に供給され、インジェクタ取付部に取付けられたインジェクタに分配される。
【先行技術文献】
【特許文献】
【０００３】
【特許文献１】特開２００２−７０６８８号公報
【発明の概要】
【発明が解決しようとする課題】
【０００４】
ところで、デリバリパイプに供給される燃料に、アルコールが含まれると、デリバリパイプは、この燃料によって腐食される恐れがある。このため、デリバリパイプの内面に、例えばニッケル‐リンの耐蝕性被膜をメッキ処理によって形成することで、デリバリパイプの腐食を抑制する場合がある。
【０００５】
しかしながら、従来のデリバリパイプでは、オリフィス状に形成された連通孔がデリバリパイプ自身に形成されていたため、その連通孔に耐蝕性被膜が付着しにくいという問題があった。このため、オリフィスに形成されている耐蝕性被膜の厚さを、耐蝕に必要な厚さ分だけ確保することができず、オリフィスの耐蝕性が不十分となって腐食が生じるおそれがあった。
【０００６】
本明細書では、オリフィスの耐蝕性を担保することが可能なデリバリパイプに係る技術を開示する。
【課題を解決するための手段】
【０００７】
本明細書によって開示されるデリバリパイプは、複数のインジェクタへ燃料を供給するための共通供給路、複数の前記インジェクタが取り付けられる取付部、及び前記共通供給路の内周壁面の一部に開口するとともに燃料供給源から前記共通供給路へ燃料を供給するための燃料供給口を有する主管体と、前記主管体の前記共通供給路内にて前記燃料供給口を塞ぐ形で配されるとともに、前記燃料供給口及び前記共通供給路に連通されるオリフィスが形成されてなる耐蝕性部材とを備える。
【０００８】
上記デリバリパイプでは、前記主管体には、その軸線に沿って前記共通供給路を外部へ開口させるとともに、外部から前記耐蝕性部材を装着可能とされる装着開口部が設けられていても良い。
【０００９】
上記デリバリパイプでは、前記耐蝕性部材は、内部に前記共通供給路に並行するとともに前記共通供給路に連通される連通路を有する筒状をなしており、前記オリフィスは、前記耐蝕性部材の一部に前記連通路に連通する形で設けられていても良い。
【００１０】
上記デリバリパイプでは、前記装着開口部は、前記共通供給路よりも大径となるよう形成されていても良い。
【００１１】
上記デリバリパイプでは、前記主管体の周壁には、内部に前記燃料供給口に連通する燃料供給路を有するとともにその軸線が前記主管体の軸線と直交する形態の燃料供給管が設けられていても良い。
【００１２】
上記デリバリパイプでは、前記主管体は鉄製またはアルミニウム合金製であり、前記耐蝕性部材はステンレス製であっても良い。
【発明の効果】
【００１３】
本発明によれば、オリフィスの耐蝕性を担保することができる。
【図面の簡単な説明】
【００１４】
【図１】本実施形態の燃料供給装置の構成を模式的に示した斜視図
【図２】本実施形態のデリバリパイプの側面図
【図３】図２に示したデリバリパイプの側断面図
【図４】図３に示したデリバリパイプの端部の拡大側断面図
【図５】耐蝕性部材の斜視図
【図６】図４に示したデリバリパイプの端部における耐蝕性部材が開口部から分解された分解斜視図。
【図７】比較例のデリバリパイプを示した側断面図
【図８】本実施形態２のデリバリパイプの端部の拡大側断面図
【発明を実施するための形態】
【００１５】
＜実施形態１＞
本発明の実施形態１を図１から図７によって説明する。本実施形態に係る燃料供給装置８０は、図１に示すように、自動車７０の車体７１内に装備され、燃料タンク７２からエンジン７３に燃料を供給する。ここで、燃料とは、ガソリン、高濃度アルコール含有燃料、またはガソリンとアルコールとの混合燃料を広く含む。また、アルコールは、例えばメタノール、エタノール、ブタノールおよびプロパノールが利用可能である。なお、以下では、各図面の一部にはＸ軸、Ｙ軸及びＺ軸を示しており、各軸方向が各図面で示した方向となるように描かれている。
【００１６】
燃料供給装置８０は、燃料供給ポンプ８１と、フィルタ８２と、圧力調整装置８３と、燃料移送管８４と、燃料供給管８５と、燃料帰還管８６と、フューエルデリバリパイプ（以下「デリバリパイプ」と言う）１０と、を備えている。燃料タンク７２内部の燃料は、燃料供給ポンプ８１により加圧され、燃料移送管８４を通り、フィルタ８２によって濾過された後に圧力調整装置８３に移送される。
【００１７】
燃料供給管８５に供給される際の燃料の圧力は、圧力調整装置８３によって調整される。燃料供給管８５に送られた燃料は、燃料供給管８５に接続されたデリバリパイプ１０に送られた後、デリバリパイプ１０によって複数のインジェクタ４０に分配される。そして、各インジェクタ４０の開閉弁を開くことで、各インジェクタ４０に接続された供給用配管を介してエンジン７３内の各気筒へ燃料が噴射される。また、インジェクタ４０によって噴射されなかった燃料は、燃料帰還管８６を通って燃料タンク７２へと戻される。
【００１８】
（デリバリパイプの全体構成）
デリバリパイプ１０は、図２に示すように、長尺な主管体２０と、主管体２０の外周面の一部から外向きに突き出す形で形成される燃料供給用の副管体（燃料供給管）２１と、主管体２０の外周面の一部から外向きに突き出す形で形成されるとともに複数のインジェクタ４０が個別に取り付けられる複数の取付部４１と、を備えている。一体部品であるこれら主管体２０、副管体２１及び取付部４１には、耐蝕性処理として耐蝕性のメッキを用いたメッキ処理が施されており、それによりその内外周面のほぼ全域にわたって耐蝕性被膜（図示せず）が形成されている。なお、この耐蝕性メッキ処理として、本実施形態では、例えば無電解のニッケル−リンメッキ処理を行うようにしている。
【００１９】
（主管体）
主管体２０は、例えば熱間鍛造によって鉄またはアルミニウム合金を成形することで、形成されており、図２に示すように、Ｘ軸方向に沿って延在する略筒状をなしている。主管体２０の軸線方向（長さ方向）は、Ｘ軸方向と一致しているのに対し、主管体２０の径方向は、Ｘ軸方向と直交する方向（Ｙ軸方向及びＺ軸方向を含む）となっている。なお、主管体２０の外径は、８ｍｍ〜３６ｍｍの範囲であることが好ましく、本実施形態では例えば１２ｍｍ程度としている。
【００２０】
主管体２０の内部には、図３に示すように、その軸線方向（Ｘ軸方向）に沿って延びる共通供給路３０が形成されている。主管体２０は、共通供給路３０における一方の端部（図３に示す左側端部）が閉塞されるのに対し、他方の端部（図３に示す右側端部）が軸線方向に沿って外部へ開口されており、それにより全体として略有底筒状をなしている。この主管体２０における他方の端部に形成された開口部は、後述する耐蝕性部材６０を外部から共通供給路３０内に装着するのを許容する装着開口部３４となっている。また、この装着開口部３４は、共通供給路３０の内壁面にメッキ処理を施す際におけるメッキの流入口・流出口としても利用することができる。共通供給路３０は、その軸線方向（Ｘ軸方向）に対する垂直な断面、すなわち流路断面が例えば略円形に形成されている。これにより、燃料を円滑に搬送することができる。主管体２０の周壁のうち副管体２１に連なる部分には、上記した共通供給路３０に連通する燃料供給口３１が形成されている。燃料供給口３１は、副管体２１と同心状となる配置とされる。また、主管体２０の周壁のうち各取付部４１に連なる部分には、上記した共通供給路３０に連通する分岐口３６が形成されている。分岐口３６は、取付部４１と同数設けられており、各取付部４１と同心状となる配置とされる。共通供給路３０の直径は、４ｍｍ〜１８ｍｍの範囲であることが好ましく、本実施形態では例えば６ｍｍ程度としている。また、共通供給路３０の直径に対する、主管体２０の外径の比は、２分の１以下の関係になることが好ましく、本実施形態では例えば２分の１程度としている。
【００２１】
（副管体）
副管体２１は、図２に示すように、主管体２０に一体形成されるとともにその周壁からＺ軸方向、つまり径方向に沿って外向きに突出している。副管体２１は、その軸線方向が主管体２０の径方向（Ｚ軸方向）と一致した略筒状をなしており、その長さ寸法が主管体２０の長さ寸法に比べると相対的に短いものとされる。略筒状をなす副管体２１は、一方の端部（図２に示す下側の端部）が主管体２０の周壁に連なるのに対し、他方の端部（図２に示す上側の端部）が外部に開放されている、とも言える。副管体２１は、主管体２０のうち長さ方向（Ｘ軸方向）の中央位置よりも他方の端部、つまり装着開口部３４寄りの位置に偏心して配されている。詳しくは、副管体２１は、主管体２０の長さ方向について、装着開口部３４と、各取付部４１のうち最も装着開口部３４に近い取付部４１との間（中間）に位置している。なお、副管体２１の外径は、上記した主管体２０の外径よりも相対的に小さいものとされる。
【００２２】
副管体２１の内部には、図３に示すように、その軸線方向（Ｚ軸方向）に沿って延びる燃料供給路３２が形成されており、その燃料供給路３２における一方の端部（図３に示す下側の端部）が主管体２０の共通供給路３０に連通するよう開口する燃料供給口３１となっている。従って、共通供給路３０及び燃料供給路３２は、Ｘ軸方向（主管体２０の軸線方向）及びＺ軸方向（副管体２１の軸線方向）に沿って切断した断面形状が略Ｔ字型をなしている。燃料供給路３２における他方の端部（図３に示す上側の端部）は、Ｚ軸方向に沿って外部へ開口されており、ここに燃料供給管８５が挿入されることで、燃料の供給を受けることが可能とされている。燃料供給路３２における他方の端部には、燃料供給管８５の挿入容易性を担保するためにテーパ面３３が形成されている。燃料供給路３２及び燃料供給口３１は、その軸線方向に対する垂直な断面、すなわち流路断面が例えば略円形に形成されている。これにより、燃料を円滑に搬送することができる。なお、燃料供給路３２及び燃料供給口３１の径寸法は、上記した共通供給路３０の径寸法よりも相対的に小さいものとされる。
【００２３】
（取付部）
取付部４１は、図２に示すように、主管体２０に一体形成されるとともに、その周壁のうち上記した副管体２１とは異なる位置、具体的には周方向（軸線周り方向）について反対側の位置から、主管体２０の径方向（Ｚ軸方向）に沿って副管体２１とは反対方向に向けて突出する形態とされている。取付部４１は、その軸線方向が主管体２０の径方向及び副管体２１の軸線方向と一致した略筒状をなしており、その長さ寸法が主管体２０の長さ寸法に比べると相対的に短いものとされる。略筒状をなす取付部４１は、一方の端部（図２に示す上側の端部）が主管体２０の周壁に連なるのに対し、他方の端部（図２に示す下側の端部）が外部に開放されている、とも言える。取付部４１は、主管体２０の軸線方向（Ｘ軸方向）に沿って複数（図２では４つ）が間欠的に並列して配されている。各取付部４１間の配列ピッチは、ほぼ等しいものとされる。各取付部４１は、主管体２０においてその軸線方向について副管体２１よりも装着開口部３４側とは反対側に位置するよう配されている。なお、取付部４１の外径は、上記した主管体２０の外径よりも相対的に小さいものとされる。
【００２４】
各取付部４１の内部には、図３に示すように、その軸線（Ｚ軸方向）に沿って延びる取付孔４２がそれぞれ形成されており、その取付孔４２における一方の端部（図３に示す上側の端部）が主管体２０の各分岐口３６を介して共通供給路３０と連通されている。各取付孔４２における他方の端部（図３に示す下側の端部）は、Ｚ軸方向に沿って外部へ開口されており、ここに各インジェクタ４０がそれぞれ取り付けられることで、共通供給路３０からの燃料を各分岐口３６を介して各インジェクタ４０へと分配できるようになっている。取付孔４２及び分岐口３６は、その軸線に対する垂直な断面、すなわち流路断面が例えば略円形に形成されている。なお、取付孔４２及び分岐口３６の径寸法は、上記した共通供給路３０の径寸法よりも相対的に小さいものとされる。
【００２５】
（耐蝕性部材）
さて、本実施形態に係るデリバリパイプ１０は、図３に示すように、主管体２０（副管体２１及び取付部４１）とは別部品である耐蝕性部材６０を有しており、この耐蝕性部材６０が主管体２０における共通供給路３０内に装着されるとともに燃料供給口３１を塞ぐ形で配されている。この耐蝕性部材６０は、例えばステンレス材などの、アルコールを含有する燃料に対して十分な耐蝕性を有する材料からなるものとされる。そして、この耐蝕性部材６０には、共通供給路３０及び燃料供給口３１（燃料供給路３２）に連通されるオリフィス６２が形成されている。オリフィス６２は、その径寸法が共通供給路３０及び燃料供給口３１の各径寸法よりも十分に小さく設定されており、それにより燃料圧力の脈動を低減することができるものとされる。このオリフィス６２を有する耐蝕性部材６０は、上記した鉄またはアルミニウム合金からなる主管体２０、副管体２１及び取付部４１のように耐蝕性メッキ処理を施さずとも、十分な耐蝕性を有している。
【００２６】
詳しくは、耐蝕性部材６０は、図４及び図５に示すように、主管体２０と軸線方向が一致した略筒状をなしており、その内部には、共通供給路３０に連通される連通路６１が形成されている。連通路６１の径寸法は、共通供給路３０の径寸法よりは小さいものの、オリフィス６２の径寸法よりは大きいものとされる。また、連通路６１の径寸法は、耐蝕性部材６０の周壁の厚さ寸法よりも大きいものとされる。耐蝕性部材６０は、主管体２０の内周壁面（共通供給路３０）に沿った略円筒状をなしており、その外径寸法Ｄ２が共通供給路３０の径寸法（主管体２０の内径寸法）Ｄ１とほぼ同じになるか、或いはＤ１よりも多少大きくなるよう形成されている。従って、耐蝕性部材６０は、共通供給路３０内に圧入状態で装着されている。
【００２７】
一方、耐蝕性部材６０は、図４に示すように、その長さ寸法（軸線方向についての寸法）が燃料供給口３１及び燃料供給路３２の径寸法（副管体２１の内径寸法）よりも大きくなるよう形成されている。その上で、耐蝕性部材６０は、燃料供給口３１を跨ぐよう配されることで、燃料供給口３１の口縁に対して全周にわたって当接されている。詳細には、耐蝕性部材６０は、その長さ方向の中央部が燃料供給口３１を塞ぐようにして配されており、その燃料供給口３１内に配される部分にオリフィス６２が形成されている。耐蝕性部材６０を構成する連通路６１の周壁を厚さ方向（Ｚ軸方向、耐蝕性部材６０の径方向）に沿って貫通することで、連通路６１及び燃料供給口３１に開口している。従って、燃料供給口３１内の燃料は、オリフィス６２を通されてから連通路６１に通され、その後共通供給路３０に通されるようになっている。オリフィス６２は、耐蝕性部材６０における長さ方向の中央位置に配されており、燃料供給口３１の中心とほぼ一致する配置とされている。また、オリフィス６２は、図５に示すように、その平面に視た外形が燃料供給口３１の断面形状と相似形となる略円形状とされている。オリフィス６２の径寸法は、大きくなるほど機械加工コストが良好になる一方で燃料圧力の脈動抑制性能が低下するのに対し、小さくなるほど機械加工コストが悪化する一方で燃料圧力の脈動抑制性能が向上する傾向とされる。従って、具体的なオリフィス６２の径寸法は、機械加工コスト及び脈動抑制性能を考慮すると、例えば０．５ｍｍ〜１．５ｍｍの範囲とされるのが好ましく、特に脈動抑制性能を優先するのであれば、例えば０．５ｍｍ〜１ｍｍ（１ｍｍ以下）の範囲とされるのがより好ましい。
【００２８】
上記した構成の耐蝕性部材６０は、図６に示すように、主管体２０における他方の端部に形成された装着開口部３４から共通供給路３０内に装着されている。装着開口部３４は、その径寸法が耐蝕性部材６０の外径寸法Ｄ２及び共通供給路３０の径寸法Ｄ１よりも十分に大きくなるよう形成されており、それにより耐蝕性部材６０の装着作業性の向上が図られている。その上、装着開口部３４と共通供給路３０との接続箇所には、全周にわたってテーパ面３５が形成されており、それにより耐蝕性部材６０が装着開口部３４側から共通供給路３０側に圧入される際の作業性がより高いものとなっている。なお、この装着開口部３４は、耐蝕性部材６０が装着された後に、例えば図示しないキャップを装着することで封止される。
【００２９】
（デリバリパイプの製造方法）
次に、本実施形態に係るデリバリパイプ１０の製造方法の一例を説明する。本実施形態のデリバリパイプ１０の製造方法は、主管体製造工程と、メッキ処理工程と、圧入工程とを含む。
【００３０】
（主管体製造工程）
主管体製造工程では、鉄またはアルミニウム合金からなる丸棒形状の素材を熱間鍛造することで、副管体２１及び取付部４１を有する主管体２０を製造する。この製造された主管体２０にトリミングを行うことで、主管体２０に共通供給路３０、燃料供給口３１、開口部３４、分岐口３６がそれぞれ形成される。また、同様に、副管体２１と取付部４１とにトリミングを行うことで、副管体２１に燃料供給路３２が形成され、取付部４１に取付孔４２が形成される。
【００３１】
（メッキ処理工程）
メッキ処理工程では、上記した主管体製造工程を経て製造された主管体２０、副管体２１及び取付部４１に耐蝕性メッキ処理を施すことで、耐蝕性被膜を形成する。具体的には、主管体２０、副管体２１及び取付部４１を、ニッケル及びリンを含有するメッキ液で満たしたメッキ槽中に浸すことでメッキ処理を行うと、その内外周面の全域にわたって耐蝕性被膜が形成される。主管体２０、副管体２１及び各取付部４１の内周面に耐蝕性被膜が形成されることで、共通供給路３０、燃料供給口３１、各分岐口３６、燃料供給路３２及び取付孔４２内を通される燃料にアルコールが含有されていても、そのアルコールによってこれらの内周壁面が腐食されるのを防ぐことができる。また、主管体２０、副管体２１及び各取付部４１における外周面に関しては、塩害による腐食が防止される。これら主管体２０、副管体２１及び取付部４１には、微小な孔であるオリフィス６２が形成されていないことから、その内外周面にムラのない、均一な膜厚の耐蝕性被膜が形成されており、それにより高い腐食防止効果が得られている。
【００３２】
（圧入工程）
圧入工程では、図６に示すように、主管体２０における装着開口部３４から外部の耐蝕性部材６０を共通供給路３０内に圧入する。このとき、装着開口部３４は、その径寸法が耐蝕性部材６０の外径寸法Ｄ２よりも十分に大きいことから、耐蝕性部材６０の導入が容易なものとなっている。耐蝕性部材６０を、オリフィス６２が副管体２１側を向く姿勢（オリフィス６２がＺ軸方向に沿って燃料供給路３２側に開口する姿勢）で装着開口部３４の奥方へと押し込むと、テーパ面３５によって案内されることで、耐蝕性部材６０は共通供給路３０内へと円滑に圧入される。さらに耐蝕性部材６０を共通供給路３０の奥方へ圧入すると、耐蝕性部材６０における圧入方向の奥側端部が燃料供給口３１を超えてその奥側に至った後、オリフィス６２が燃料供給口３１に連通される。そして、図４に示すように、オリフィス６２が燃料供給口３１と同心となる位置に達したところで、耐蝕性部材６０の圧入作業が完了される。この状態では、燃料供給口３１の口縁に対して耐蝕性部材６０の外周壁面が全周にわたって密着状態で当接されることで、燃料供給口３１が塞がれているものの、オリフィス６２が燃料供給口３１に連通されることで、燃料供給口３１から共通供給路３０への燃料の供給が可能とされている。その後、装着開口部３４に図示しないキャップを装着することで、装着開口部３４を封止する。
【００３３】
（デリバリパイプの作用）
燃料供給管８５から副管体２１の燃料供給路３２に燃料を供給すると、その燃料は、図３に示すように、燃料供給口３１から耐蝕性部材６０のオリフィス６２を通された後に連通路６１に通され、それから主管体２０の共通供給路３０へと供給される。その後、燃料は、共通供給路３０から各分岐口３６を通して各取付部４１に取り付けられた各インジェクタ４０へと分配される。この燃料の通過経路には、共通供給路３０及び燃料供給口３１よりも径寸法が十分に小さなオリフィス６２が形成されているから、燃料圧力の脈動を低減することができる。
【００３４】
ここで、燃料が通過する燃料供給路３２、燃料供給口３１、共通供給路３０及び分岐口３６における内周壁面には、全域にわたって耐蝕性被膜が形成されているから、燃料にアルコールが含有されていても、そのアルコールによって腐食されるのを防ぐことができる。しかも、燃料が通過するオリフィス６２及び連通路６１は、耐蝕性部材６０に形成されていることから、耐蝕性被膜を有さずとも十分な耐蝕性が確保されている。
【００３５】
（本実施形態の効果）
本実施形態に係るデリバリパイプ１０は、複数のインジェクタ４０へ燃料を供給するための共通供給路３０、複数のインジェクタ４０が取り付けられる取付部４１、及び共通供給路３０の内周壁面の一部に開口するとともに燃料供給源から共通供給路３０へ燃料を供給するための燃料供給口３１を有する主管体２０と、主管体２０の共通供給路３０内にて燃料供給口３１を塞ぐ形で配されるとともに、燃料供給口３１及び共通供給路３０に連通されるオリフィス６２が形成されてなる耐蝕性部材６０とを備えており、それにより以下の効果を奏する。
【００３６】
上記したように本実施形態に係るデリバリパイプ１０では、主管体２０の共通供給路３０内に配される耐蝕性部材６０に、燃料供給口３１及び共通供給路３０に連通されるオリフィス６２が形成されているから、燃料圧力の脈動を低減することができるのに加え、次の効果が得られる。すなわち、従来では、主管体にオリフィスを形成しているため、アルコールを含有する燃料に対する耐蝕性を高めるべく主管体に耐蝕性のメッキ処理を施すと、共通供給路や燃料供給口に比べて小径なオリフィスにはメッキが十分に付着せずにオリフィスに腐食が生じ易くなる、という問題が生じていたものの、本実施形態に係るデリバリパイプ１０では、オリフィス６２が耐蝕性部材６０に形成されているので、燃料にアルコールが含有されていた場合でもオリフィス６２の耐蝕性を十分に担保することができる。
【００３７】
しかも、耐蝕性部材６０は、共通供給路３０内にて、共通供給路３０の内周壁面の一部に開口される燃料供給口３１を塞ぐ形で配されているから、燃料供給口３１に供給される燃料の圧力が耐蝕性部材６０に作用しても、その耐蝕性部材６０を主管体２０における共通供給路３０の内周壁面によって受けることができる。これにより、主管体２０に格別な加工を施さなくても、燃料の圧力によって生じ得る耐蝕性部材６０の位置ずれを防ぐことができる、といった効果をも得られる。この効果について、図７に示す比較例を用いて詳しく説明する。
【００３８】
比較例に係るデリバリパイプ１は、図７に示すように、主管体２と、オリフィス４が形成された第１部材３とにより構成されており、主管体２においてその軸線方向に沿って開口する開口端に、燃料が供給される燃料供給口５及び第１部材３が収容される収容口６が形成されている。この比較例に係るデリバリパイプ１では、収容口６に第１部材３を受ける段付き部７を形成しており、それにより燃料供給口５から供給される燃料の供給圧によって第１部材３が位置ずれするのを防止している。このように比較例に係るデリバリパイプ１では、主管体２に段付き部７を加工形成する必要があるのに対して、本実施形態に係るデリバリパイプ１０では、そのような格別な加工を施す必要がないものとされる。すなわち、本実施形態に係るデリバリパイプ１０は、図３に示すように、燃料供給口３１が共通供給路３０の内周壁面の一部に開口する形態とされ、その燃料供給口３１を塞ぐ形で耐蝕性部材６０が配されているから、燃料供給口３１に供給される燃料の圧力が作用する耐蝕性部材６０を、共通供給路３０の内周壁面によって受けることができ、もって比較例のような格別な加工を要することなく耐蝕性部材６０の位置ずれを防止することができるのである。
【００３９】
また、本実施形態に係るデリバリパイプ１０では、主管体２０には、その軸線に沿って共通供給路３０を外部へ開口させるとともに、外部から耐蝕性部材６０を装着可能とされる装着開口部３４が設けられている。このようにすれば、装着開口部３４内に外部から耐蝕性部材６０を押し込むことで、耐蝕性部材６０を共通供給路３０内に容易に装着することができ、作業性に優れる。
【００４０】
また、本実施形態に係るデリバリパイプ１０では、耐蝕性部材６０は、内部に共通供給路３０に並行するとともに共通供給路３０に連通される連通路６１を有する筒状をなしており、オリフィス６２は、耐蝕性部材６０の一部に連通路６１に連通する形で設けられている。このようにすれば、燃料供給口３１からの燃料は、耐蝕性部材６０のオリフィス６２及び連通路６１を通ってから共通供給路３０へと通される。耐蝕性部材６０が筒状とされているので、仮に耐蝕性部材をブロック状に形成した場合に比べると、軽量化及び製造コストの低廉化などを図る上で有用となる。
【００４１】
また、本実施形態に係るデリバリパイプ１０では、装着開口部３４は、共通供給路３０よりも大径となるよう形成されている。このようにすれば、耐蝕性部材６０を一層装着し易くなって作業性をより高めることができる。
【００４２】
また、本実施形態に係るデリバリパイプ１０では、主管体２０の周壁には、内部に燃料供給口３１に連通する燃料供給路３２を有するとともにその軸線が主管体２０の軸線と直交する形態の副管体（燃料供給管）２１が設けられている。このようにすれば、共通供給路３０内に配される耐蝕性部材６０は、軸線が主管体２０の軸線と直交する形態の副管体２１の内部に備えられた燃料供給路３２に連通する燃料供給口３１を塞ぐ形で配されているから、燃料供給口３１に供給される燃料の圧力が耐蝕性部材６０に作用しても、耐蝕性部材６０が一層位置ずれし難くなる。
【００４３】
また、本実施形態に係るデリバリパイプ１０では、主管体２０は鉄製またはアルミニウム合金製であり、耐蝕性部材６０はステンレス製である。このようにすれば、耐蝕性部材６０についてステンレス製とすることで、十分な耐蝕性が得られる。
【００４４】
＜実施形態２＞
本発明の実施形態２を図８によって説明する。この実施形態２では、耐蝕性部材１６０の形状を変更したものを示す。なお、上記した実施形態１と同様の構造、作用及び効果について重複する説明は省略する。
【００４５】
本実施形態に係る耐蝕性部材１６０は、図８に示すように、全体として共通供給路３０の流路断面とほぼ合致した断面形状を有する略ブロック状に形成されている。耐蝕性部材１６０には、共通供給路３０に連通する連通路１６１と、燃料供給口３１に連通し且つ連通路１６１に連通されるオリフィス１６２とが形成されており、これら連通路１６１及びオリフィス１６２の断面形状が略Ｌ字型をなしている。連通路１６１は、耐蝕性部材１６０における軸線方向の一方の端面、つまり共通供給路３０の各分岐口３６側の端面（装着開口部３４側とは反対側を向いた端面）にのみ開口しており、耐蝕性部材１６０を軸線方向に沿って貫通しない点で上記した実施形態１とは相違している。連通路１６１は、その径寸法がオリフィス１６２の径寸法よりも大きいものの、耐蝕性部材１６０の周壁の厚さ寸法よりは小さいものとされる。オリフィス１６２は、その一端側が耐蝕性部材１６０における外周壁面の一部に開口しているのに対し、他端側が耐蝕性部材１６０の内部において連通路１６１に連通されている。
【００４６】
本実施形態に係るデリバリパイプ１１０において、燃料供給口３１に燃料が供給されると、その燃料は、耐蝕性部材１６０のオリフィス１６２、連通路１６１の順で通された後に、共通供給路３０に供給される。ここで、耐蝕性部材１６０の連通路１６１は、装着開口部３４側に開口することなく、共通供給路３０の各分岐口３６側にのみ開口していることから、連通路１６１を通過した燃料は、装着開口部３４側に供給されることなく、その全てが各分岐口３６側、つまり各インジェクタ４０へと供給される。上記した実施形態１では、耐蝕性部材６０よりも装着開口部３４側に流れ込んだ燃料が装着開口部３４側から各分岐口３６側に向けて流れることから、その燃料からの圧力が耐蝕性部材６０に対して軸線方向（Ｘ軸方向）に沿って作用することが懸念されるものの（図４を参照）、本実施形態に係る耐蝕性部材１６０によればそのようなことがない。従って、本実施形態に係る耐蝕性部材１６０は、上記した実施形態１に比べると、燃料の圧力による位置ずれがより生じ難くなっている。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した各実施形態では、無電解のニッケル‐リンメッキ処理を行うことにより、主管体及び副管体に耐蝕性被膜を形成したが、他のメッキ処理方法を採用することも可能であり、例えば、電解メッキを採用することができる。また、メッキに用いる材料についても、アルコールに対して耐蝕性を有するものであれば、ニッケル及びリン以外の材料を用いることも可能である。
【００４８】
（２）上記した各実施形態では、共通供給路、燃料供給路、燃料供給口及び分岐口などの断面形状が円形状をなすものについて示したが、これらの断面形状として例えば楕円形、多角形（三角形、四角形など）などとすることも可能である。共通供給路の断面形状を変更した場合には、それに合わせて耐蝕性部材の断面形状についても変更すればよい。
【００４９】
（３）上記した各実施形態では、燃料供給路及び燃料供給口が共通供給路よりも径寸法が小さい構成のものを示したが、燃料供給路及び燃料供給口が共通供給路と同等の径寸法とされるものや、燃料供給路及び燃料供給口が共通供給路よりも径寸法が大きくなる構成としたものも本発明に含まれる。また、燃料供給路及び燃料供給口が分岐口と同等の径寸法とされるものや、燃料供給路及び燃料供給口が分岐口よりも径寸法が大きくなる構成としたものも本発明に含まれる。
【００５０】
（４）上記した各実施形態では、主管体（共通供給路）の軸線方向と、副管体（燃料供給路）の軸線方向とが互いに直交する構成のものを示したが、必ずしも直交する構成のものに限らず、例えば主管体（共通供給路）の軸線方向と、副管体（燃料供給路）の軸線方向とが互いに直角とならない角度でもって交差する構成とされるものも本発明に含まれる。
【００５１】
（５）上記した各実施形態では、主管体が鉄製またはアルミニウム合金製とされ、耐蝕性部材がステンレス製とされるものを示したが、主管体及び耐蝕性部材に用いる具体的な材料は、適宜に変更可能である。
【００５２】
（６）上記した各実施形態では、装着開口部から共通供給路内に耐蝕性部材を装着する構成のものを示したが、燃料供給路及び燃料供給口から共通供給路内に耐蝕性部材を装着する構成としたものも本発明に含まれる。
【００５３】
（７）上記した実施形態２では、互いに径寸法が異なるオリフィスと連通路とが形成されたものを示したが、全長にわたって径寸法が一定とされる、断面Ｌ字型のオリフィスを形成することも可能である。
【００５４】
（８）上記した（７）のように、連通路を省略した耐蝕性部材において、オリフィスを、共通供給路の軸線方向と燃料供給路の軸線方向との双方に対して傾いた傾斜状に形成するようにしても構わない。
【符号の説明】
【００５５】
１０：デリバリパイプ
２０：主管体
２１：副管体（燃料供給管）
３０：共通供給路
３１：燃料供給口
３２：燃料供給路
３４：装着開口部
４０：インジェクタ
４１：取付部
６０：耐蝕性部材
６１：連通路
６２：オリフィス
【図１】
2014047671.tif 000003
【図２】
2014047671.tif 000004
【図３】
2014047671.tif 000005
【図４】
2014047671.tif 000006
【図５】
2014047671.tif 000007
【図６】
2014047671.tif 000008
【図７】
2014047671.tif 000009
【図８】
2014047671.tif 000010